(57)【要約】【課題】普通紙等の媒体に出力可能な安価な方法で、かつ、アプリケーションやプリンタの種類に依存することなく地紋模様を有する文書を得られるようにする。【解決手段】印刷を指示された印刷データを出力用プリンタへ出力し、上記出力用プリンタにより媒体に対して上記印刷データに基づく印刷を行う印刷システムにおいて、印刷データと地紋模様データとを合成する仮想プリンタを有し、上記仮想プリンタは、上記印刷を指示された印刷データであるアプリケーションよりの印刷ジョブから、スプールデータを生成する生成手段と、上記地紋模様データを作成する地紋模様作成手段と、上記生成手段で生成されたスプールデータと上記地紋模様作成手段で作成された地紋模様データとを合成し、地紋模様を有する印刷データを作成する作成手段と、上記作成手段で作成された上記地紋模様を有する印刷データを出力用プリンタへ出力する出力手段とを有するようにした。【選択図】        図２
2008165467.tif 000002
【特許請求の範囲】
【請求項１】
印刷を指示された印刷データを出力用プリンタへ出力し、前記出力用プリンタにより媒体に対して前記印刷データに基づく印刷を行う印刷システムにおいて、
印刷を指示された印刷データと地紋模様データとを合成する仮想プリンタを有し、
前記仮想プリンタは、
前記印刷を指示された印刷データであるアプリケーションよりの印刷ジョブから、スプールデータを生成する生成手段と、
前記地紋模様データを作成する地紋模様作成手段と、
前記生成手段で生成されたスプールデータと前記地紋模様作成手段で作成された地紋模様データとを合成し、地紋模様を有する印刷データを作成する作成手段と、
前記作成手段で作成された前記地紋模様を有する印刷データを出力用プリンタへ出力する出力手段と
を有する
ことを特徴とする印刷システム。
【請求項２】
請求項１に記載の印刷システムにおいて、さらに、
前記地紋模様作成手段は、前記地紋模様データを編集する編集手段を有し、
前記編集手段は、
前記印刷を指示された印刷データよりも後に前記地紋模様データを印刷したように視認される第１のモードと、前記印刷を指示された印刷データ内にある画像の部分をよけて前記地紋模様データを印刷したように視認される第２のモードとを選択する選択手段と
を有することを特徴とする印刷システム。
【請求項３】
請求項１または２のいずれか１項に記載の印刷システムにおいて、
前記スプールデータは、ＥＭＦ形式である
ことを特徴とする印刷システム。
【請求項４】
請求項１、２または３のいずれか１項に記載した印刷システムにおいて、
前記地紋模様データに基づく地紋模様は、前記出力用プリンタにより印刷された媒体からは視認できず、前記媒体を複写装置により複写した複写物からは視認できる
ことを特徴とする印刷システム。
【請求項５】
印刷を指示された印刷データを出力用プリンタへ出力し、前記出力用プリンタにより媒体に対して前記印刷データに基づく印刷を行う印刷方法において、
印刷を指示された印刷データと地紋模様データとを合成する仮想プリンタにより、
前記印刷を指示された印刷データであるアプリケーションよりの印刷ジョブから、スプールデータを生成し、
前記地紋模様データを作成し、
前記生成したスプールデータと前記地紋模様データとを合成し、地紋模様を有する印刷データを作成し、
前記作成した前記地紋模様を有する印刷データを出力用プリンタへ出力する
ことを特徴とする印刷方法。
【請求項６】
請求項５に記載の印刷方法において、さらに、
前記印刷を指示された印刷データよりも後に前記地紋模様データを印刷したように視認される第１のモードと、前記印刷を指示された印刷データ内にある画像の部分をよけて前記地紋模様データを印刷したように視認される第２のモードとを選択する
ことを特徴とする印刷方法。
【請求項７】
請求項５または６のいずれか１項に記載の印刷方法において、
前記スプールデータは、ＥＭＦ形式である
ことを特徴とする印刷方法。
【請求項８】
請求項５、６または７のいずれか１項に記載した印刷方法において、
前記地紋模様データに基づく地紋模様は、前記出力用プリンタにより印刷された媒体からは視認できず、前記媒体を複写装置により複写した複写物からは視認できる
ことを特徴とする印刷方法。
【請求項９】
請求項１、２、３または４のいずれか１項に記載の印刷システムをコンピュータに実行させるためのプログラム。
【請求項１０】
請求項５、６、７または８のいずれか１項にに記載した印刷方法をコンピュータに実行させるためのプログラム。
【請求項１１】
請求項９または１０のいずれか１項に記載のプログラムを記録したコンピュータ読み取り可能な記録媒体。
【発明の詳細な説明】
【技術分野】
【０００１】
本発明は、印刷システム、印刷方法、プログラムおよびコンピュータ読み取り可能な記録媒体に関し、さらに詳細には、一般に普及している出力用プリンタであれば機種を指定することなく、普通紙などの各種の媒体に地紋印刷を行うことが可能な印刷システム、印刷方法、プログラムおよびコンピュータ読み取り可能な記録媒体に関する。
【背景技術】
【０００２】
従来より、紙文書に対する不正コピーや改竄などの対策として、紙文書の原本に対して、当該原本を複写すると地紋模様が浮き出てくるようにする処理を予め施しておく手法が知られている。具体的には、公的機関で発行される個人情報を記載した証明書類などに対しては、証明書類の原本そのものからは視認不可能であるにも関わらず、証明書類を複写すると複写物であることがわかるように文字などが浮き出てくるような地紋処理が施されている。
【０００３】
こうした地紋処理がなされた紙文書の作成の手法の一例として、例えば、紙文書の原本を印刷する際に地紋印刷済用紙を使うという方法がある。この地紋印刷済用紙とは、予め地紋模様を印刷された用紙であって、通常のコピー機やプリンタにおいて普通紙と同様に取り扱うことのできる用紙である。
【０００４】
上記した地紋印刷済用紙を用いる場合には、コピー機やプリンタによる印刷の際に、作業者は普通紙と同様に取り扱うことが可能であるため、作業性を損なわれることがないという利点がある。
【０００５】
しかしながら、地紋印刷済用紙は、特殊な地紋印刷処理が施されているため、例えば、一枚当たり数十円程度で販売されており、普通紙と比較すると高価であるという問題点があった。
【０００６】
また、例えば、一つのプリンタにおいて、複写を防止する必要のある文書と必要のない文書との印刷を行うようにした場合には、印刷する文書が複写を防止する必要があるか否かに応じて用紙を入れ替える必要があるため、印刷の際の作業が繁雑になるという問題点もあった。
【０００７】
また、従来行われてきた地紋処理がなされた紙文書の作成の手法の他の例として、プリンタの内部で地紋の合成を行うという手法が知られている。
【０００８】
この手法は、コンピュータよりプリンタへ転送された印字データについて、プリンタ内のマイクロコンピュータにより印刷データに地紋データを組み合わせて合成するものであり、こうした手法を用いると、普通紙に地紋模様を印刷することが可能になる。
【０００９】
また、使用する用紙も特殊なものでなく普通紙を用いることができるため、簡単に印刷することができる。
【００１０】
しかしながら、この手法は、特定のプリンタのデバイスドライバを用い、また、プリンタ中で地紋模様と印字データとの合成を行うものであるため、印刷データと地紋データとの合成方法はプリンタの機種に依存し、プリンタごとに異なる対応になるため、一般に普及させることは難しいという問題点があった。
【００１１】
また、地紋データをアプリケーション層で印刷データと組み合わせる手法もあり、このような製品は、例えばＷｏｒｄ（登録商標）やＡｃｒｏｂａｔ  Ｒｅａｄｅｒ（登録商標）などの各種アプリケーション使用時に地紋データの設定を行い、印刷の途中に地紋を入れることになる。
【００１２】
しかしながら、このような手法では、地紋データの合成をアプリケーションごとに対応させなければならならず、また、アプリケーションのＳＤＫ（ｓｏｆｔｗａｒｅ  ｄｅｖｅｌｏｐｍｅｎｔ  ｋｉｔ）にも依存するという問題点があった。
【００１３】
なお、プリンタのデバイスドライバで地紋データを合成する場合も、アプリケーション層で地紋データを合成する場合も、いずれの場合でも印刷可能なアプリケーションを限定したり、利用可能なプリンタを限定したりすることが前提となっており、アプリケーションやプリンタによって制限されるものであった。
【００１４】
なお、本願出願人が特許出願時に知っている先行技術は、上記において説明したようなものであって文献公知発明に係る発明ではないため、記載すべき先行技術情報はない。
【発明の開示】
【発明が解決しようとする課題】
【００１５】
本発明は、従来の技術の有する上記したような種々の問題点に鑑みてなされたものであり、その目的とするところは、普通紙などの各種の媒体に出力可能であり、かつ、安価な方法で地紋模様を有する文書を得られるようにした印刷システム、印刷方法、プログラムおよびコンピュータ読み取り可能な記録媒体を提供しようとするものである。
【００１６】
また、本発明の目的とするところは、文書を作成したアプリケーションや文書を出力するプリンタの設定や種類に依存することなく地紋模様を有する文書を得られるようにした印刷システム、印刷方法、プログラムおよびコンピュータ読み取り可能な記録媒体を提供しようとするものである。
【課題を解決するための手段】
【００１７】
上記目的を達成するために、本発明による印刷システム、印刷方法、プログラムおよびコンピュータ読み取り可能な記録媒体は、仮想プリンタを設け、当該仮想プリンタを用いて、アプリケーションから抽出した印刷データと地紋情報を有する地紋模様データとを出力用プリンタに適した形式で合成し、当該合成したデータを出力用プリンタに転送するようにしたものである。
【００１８】
ここで、本発明の理解を容易にするために、図１乃至図２を参照しながら、本発明の原理について以下に詳細に説明することとする。
【００１９】
この本発明による印刷システム、印刷方法、プログラムおよびコンピュータ読み取り可能な記録媒体は、アプリケーションにより作成された文書等の印刷データを、仮想プリンタによってアプリケーションからの印刷ジョブより抽出および記憶し、当該印刷データを仮想プリンタ内において地紋模様データと合成して地紋を持つ印刷データを作成し、地紋を持つ印刷データを出力用プリンタへ転送するものである。
【００２０】
図１には、本発明の原理を説明した概念説明図が示されており、Ｍｉｃｒｏｓｏｆｔ  Ｗｏｒｄ（登録商標）などの文書作成のアプリケーションで作成した文書に関して、通常の印刷をする場合には、印刷ジョブたる印刷内容などの情報を記憶した印刷データが、出力用プリンタのデバイスドライバ（プリンタドライバ）へ送られ、プリンタドライバより出力用プリンタへ印刷ジョブが転送されるものである（図１に示した破線の矢印のルートを参照する。）。
【００２１】
一方、本発明の印刷システムにより、地紋模様を有する文書の印刷をする場合には、印刷ジョブたる印刷内容などの情報を記憶した印刷データが、パーソナルコンピュータに構築される仮想プリンタへ出力される。
【００２２】
ここで、地紋模様を表す地紋模様データは、仮想プリンタにおいて実行される地紋印刷のためのプログラムにて作成される。そして、仮想プリンタにより印刷データと地紋模様データとが合成され、新たに地紋を持つ印刷データが作成されることになる。
【００２３】
こうして作成された地紋を持つ印刷データはプリンタドライバへ送られ、プリンタドライバより出力用プリンタへ転送され、出力用プリンタにおいて普通紙などの各種媒体への印刷が行われる（図１に示した実線の矢印のルートを参照する。）。
【００２４】
より詳細には、アプリケーションから仮想プリンタへ印刷ジョブが出力される際に、仮想プリンタは印刷ジョブの中から印刷物の紙設定や余白の設定や出力するページの内容についての情報を抽出する。こうした処理は、仮想プリンタを通して行っているため、出力用プリンタの機種に依存することなく、抽出および解析することが可能になっている。
【００２５】
なお、仮想プリンタにより生成される印刷データたるスプール（Ｓｐｏｏｌ）データの形式は、例えば、拡張メタファイル（ｅｎｈａｎｃｅｄ  ｍｅｔａ  ｆｉｌｅ：ＥＭＦ）形式に指定されている。
【００２６】
こうしたＥＭＦ形式のファイルに書かれている内容は、所謂、ベクタ（Ｖｅｃｔｏｒ）類画像であり、Ｍｉｃｒｏｓｏｆｔ  Ｗｉｎｄｏｗｓ（登録商標）（以下、単に「Ｗｉｎｄｏｗｓ」と適宜に称することとする。）におけるグラフィックデバイスインターフェース（ｇｒａｐｈｉｃｓ  ｄｅｖｉｃｅ  ｉｎｔｅｒｆａｃｅ：ＧＤＩ）の文字列による指令である。
【００２７】
例えば、文書中に線が描かれているとした場合、その線が文書中のどこからどこまでに描かれていて、どのような色を有して、どのような太さを有しているという情報がＥＭＦ形式のファイルには示されている。
【００２８】
このようなＥＭＦ形式のファイルを、本発明による印刷システムのスプールデータの形式として指定することにより、スプールデータが設備に依存しないことや、印刷中のハードディスクおよびメモリの容量を節約できることや、プリンタを有効利用できるという利点が生じる。
【００２９】
こうして、本発明による印刷システムは、仮想プリンタにおいてＥＭＦ形式のスプールデータの内容が取得され、スプールデータが生成される。
【００３０】
一方、本発明による印刷システム内の仮想プリンタは、地紋模様作成のためのプログラムを実行するものであり、使用者は所望の地紋模様を作成することができるようになされている。
【００３１】
こうして得られたスプールデータと地紋模様データとを仮想プリンタ内部で合成し、合成された地紋を持つ印刷データを出力用プリンタのプリンタドライバに転送する。
【００３２】
地紋を持つ印刷データが出力用プリンタのドライバに転送された後は、通常の印刷と同様に出力用プリンタへ転送され、出力用プリンタにおいて普通紙などの各種媒体への出力が行われる。
【００３３】
本発明は、上記した原理に基づき、仮想プリンタにおいて印刷ジョブからの印刷データの取得、地紋模様の作成および印刷データと地紋模様との合成を行っているため、アプリケーションや出力用プリンタに依存することなく地紋印刷が可能となる。
【００３４】
上記したように、本発明は、仮想プリンタを設けることで、汎用ソフトウェアおよび汎用出力用プリンタのいずれに対しても改造や変更を伴うことなく、Ｍｉｃｒｏｓｏｆｔ  Ｗｉｎｄｏｗｓ（登録商標）上のプラットフォーム上で汎用出力用プリンタで印刷可能な汎用ソフトウェア（例えば、Ｍｉｃｒｏｓｏｆｔ  Ｏｆｆｉｃｅ（登録商標）など。）および印刷精度が地紋印刷に満足する汎用出力用プリンタを用いて、簡単に通常の出力用プリンタへの出力物に地紋模様を入れることができるようになる。
【００３５】
即ち、本発明によれば、印刷データに地紋模様データを合成するため、普通紙へ地紋を持つ印刷データを印刷し地紋模様を有する文書を得ることが可能になり、コスト高を招来することはない。
【００３６】
また、こうした本発明によれば、文書を作成したアプリケーションや文書を出力する出力用プリンタの設定や種類に依存することなく、地紋模様を有する文書を得ることが可能となる。
【００３７】
即ち、本発明のうち請求項１に記載の発明は、印刷を指示された印刷データを出力用プリンタへ出力し、上記出力用プリンタにより媒体に対して上記印刷データに基づく印刷を行う印刷システムにおいて、印刷を指示された印刷データと地紋模様データとを合成する仮想プリンタを有し、上記仮想プリンタは、上記印刷を指示された印刷データであるアプリケーションよりの印刷ジョブから、スプールデータを生成する生成手段と、上記地紋模様データを作成する地紋模様作成手段と、上記生成手段で生成されたスプールデータと上記地紋模様作成手段で作成された地紋模様データとを合成し、地紋模様を有する印刷データを作成する作成手段と、上記作成手段で作成された上記地紋模様を有する印刷データを出力用プリンタへ出力する出力手段とを有するようにしたものである。
【００３８】
また、本発明のうち請求項２に記載の発明は、本発明のうち請求項１に記載の発明において、上記地紋模様作成手段は、上記地紋模様データを編集する編集手段を有し、上記編集手段は、上記印刷を指示された印刷データよりも後に上記地紋模様データを印刷したように視認される第１のモードと、上記印刷を指示された印刷データ内にある画像の部分をよけて上記地紋模様データを印刷したように視認される第２のモードとを選択する選択手段とを有するようにしたものである。
【００３９】
また、本発明のうち請求項３に記載の発明は、本発明のうち請求項１または２のいずれか１項に記載の発明において、上記スプールデータは、ＥＭＦ形式であるようにしたものである。
【００４０】
また、本発明のうち請求項４に記載の発明は、本発明のうち請求項１、２または３のいずれか１項に記載の発明において、上記地紋模様データに基づく地紋模様は、上記出力用プリンタにより印刷された媒体からは視認できず、上記媒体を複写装置により複写した複写物からは視認できるようにしたものである。
【００４１】
また、本発明のうち請求項５に記載の発明は、印刷を指示された印刷データを出力用プリンタへ出力し、上記出力用プリンタにより媒体に対して上記印刷データに基づく印刷を行う印刷方法において、印刷を指示された印刷データと地紋模様データとを合成する仮想プリンタにより、上記印刷を指示された印刷データであるアプリケーションよりの印刷ジョブから、スプールデータを生成し、上記地紋模様データを作成し、上記生成したスプールデータと前記地紋模様データとを合成し、地紋模様を有する印刷データを作成し、上記作成した上記地紋模様を有する印刷データを出力用プリンタへ出力するようにしたものである。
【００４２】
また、本発明のうち請求項６に記載の発明は、本発明のうち請求項５に記載の発明において、上記印刷を指示された印刷データよりも後に上記地紋模様データを印刷したように視認される第１のモードと、上記印刷を指示された印刷データ内にある画像の部分をよけて上記地紋模様データを印刷したように視認される第２のモードとを選択するようにしたものである。
【００４３】
また、本発明のうち請求項７に記載の発明は、本発明のうち請求項５または６のいずれか１項に記載の発明において、上記スプールデータは、ＥＭＦ形式であるようにしたものである。
【００４４】
また、本発明のうち請求項８に記載の発明は、本発明のうち請求項５、６または７のいずれか１項に記載の発明において、上記地紋模様データに基づく地紋模様は、上記出力用プリンタにより印刷された媒体からは視認できず、上記媒体を複写装置により複写した複写物からは視認できるようにしたものである。
【００４５】
また、本発明のうち請求項９に記載の発明は、本発明のうち請求項１、２、３または４のいずれか１項に記載の発明としてコンピュータを機能させるためのプログラムである。
【００４６】
また、本発明のうち請求項１０に記載の発明は、本発明のうち請求項５、６、７または８のいずれか１項に記載の発明としてコンピュータを機能させるためのプログラムである。
【００４７】
また、本発明のうち請求項１１に記載の発明は、本発明のうち請求項９または１０のいずれか１項に記載のプログラムを記録したコンピュータ読み取り可能な記録媒体である。
【発明の効果】
【００４８】
本発明は、以上説明したように構成されているので、コスト高を招来することなく地紋模様を有する文書を印刷することができるようになるという優れた効果を奏する。
【００４９】
また、本発明は、以上説明したように構成されているので、アプリケーションや出力用プリンタに依存することなく、地紋模様データを作成することや地紋模様を有する文書を出力することが可能になるという優れた効果を奏する。
【発明を実施するための最良の形態】
【００５０】
以下、添付の図面を参照しながら、本発明による印刷システム、印刷方法、プログラムおよびコンピュータ読み取り可能な記録媒体の実施の形態の一例を詳細に説明するものとする。
【００５１】
図２には、本発明による印刷システム１０のブロック構成説明図が示されており、この印刷システム１０は、例えば、パーソナルコンピュータにより実現されるものである。そして、この印刷システム１０には、出力用プリンタ１２が接続されている。
【００５２】
なお、印刷システム１０を実現するパーソナルコンピュータについては、その図示は省略するが、全体の動作を中央処理装置（ＣＰＵ）を用いて制御するように構成されている。このＣＰＵには、バスを介して、ＣＰＵの制御のためのプログラムや各種の情報などを記憶するリードオンリメモリ（ＲＯＭ）やＣＰＵのワーキングエリアとして用いられる記憶領域などを備えたランダムアクセスメモリ（ＲＡＭ）などから構成される記憶装置と、ＣＰＵの制御に基づいて各種の表示を行うＣＲＴや液晶パネルなどの画面を備えた表示装置と、表示装置の画面上における任意の位置を指定するマウスなどのポインティングデバイスと、任意の文字を入力するためのキーボードなどの文字入力デバイスとなどが接続されている。
【００５３】
さらに、上記した記憶装置には、文書等を作成するための各種のアプリケーションプログラム１４と、各種のアプリケーションプログラム１４からの印刷ジョブにより印刷データの情報を取得して当該印刷データを地紋模様データと組み合わせる処理を行う仮想プリンタ１６としてＣＰＵを機能させるためのプログラムと、仮想プリンタ１６からの印刷データを出力用プリンタ１２に転送するデバイスドライバ２０としてＣＰＵを機能させるためのプログラムとが記憶されている。
【００５４】
なお、各種のアプリケーションプログラム１４は、出力用プリンタ１２に対して印刷指示を出すことのできる機能を備えた文書または画像作成用のソフトウェアである。
【００５５】
また、仮想プリンタ１６は、各種アプリケーションプログラム１４よりの印刷ジョブから印刷データを抽出し、スプールデータを生成するプリントスプーラ（Ｐｒｉｎｔ  Ｓｐｏｏｌｅｒ）１８と、地紋を持つ印刷データを作成するプリントプロセッサ（Ｐｒｉｎｔ  Ｐｒｏｃｅｓｓｏｒ）２２と、地紋印刷作成のためのプログラムを備え、プリントプロセッサ２２の指示により起動して地紋模様データを作成するための地紋印刷部２４とより構成される。
【００５６】
以上の構成において、図２および図３を参照しながら、上記した印刷システム１０を用いて地紋模様を有する文書を出力する際における、仮想プリンタ１６の動作について説明することとする。
【００５７】
初めに、使用者より後述する方法によって地紋印刷を行う指示が出されると、各種のアプリケーションプログラム１４から仮想プリンタ１６内のプリントスプーラ１８に印刷ジョブが転送される。このとき、各種のアプリケーション１４から出された印刷ジョブはＭｉｃｒｏｓｏｆｔ  Ｗｉｎｄｏｗｓ（登録商標）上でＧＤＩ文字列に変換され、ＧＤＩ印刷ジョブとなり、プリントスプーラ１８に転送される。
【００５８】
次に、プリントスプーラ１８は、ＧＤＩ印刷ジョブに基づいて、スプールデータを生成し、記憶装置内の所定のフォルダに蓄積する。なお、ここで生成されるスプールデータの形式はＥＭＦ形式であり、印刷の用紙設定や余白設定などの情報や印刷する内容など有するものである。
【００５９】
より詳細には、スプールデータは、パーソナルコンピュータを構成する記憶装置内の「％ＳＹＳＴＥＭ３２％￥ｓｐｏｏｌ￥ＰＲＩＮＴＥＲＳディレクトリ」に、ＳＰＬファイル（＊．ＳＰＬ）およびＳＨＤファイル（＊．ＳＨＤ）の２つのファイルとして対で蓄積される。
【００６０】
ここで、これら２つのスプールファイルについて簡単に説明すると、ＳＨＤファイルの中には、印刷データに関する情報が記述されている。これは、通常コントロール用のみに用いられるため、ファイルのサイズも非常に小さく数ＫＢレベルに収まる。また、ＳＨＤファイルでは、印刷中ＳＹＳＴＥＭにロックされているため、コピーも読み取ることはできない。また、印刷が終わると、すぐにも内容が消されることになる。このため、ＳＨＤファイルの中身を読み取ることはほぼできないものである。
【００６１】
一方、ＳＰＬファイルは、各ページの印刷データを含むファイルである。そのため、印刷のデータ量によって、大きくなることがあり、Ｍｉｃｒｏｓｏｆｔ  Ｗｉｎｄｏｗｓ（登録商標）プロセスが書き込み途中の場合もあるため、サイズの変化がある。ただし、ＳＰＬファイルでは、印刷途中なら、一般的にコピーすることができる。
【００６２】
こうしたスプールデータのデータ形式としては、ＲＡＷ形式とＮＴ  ＥＭＦ  １．００６形式とがあげられる。
【００６３】
なお、ＲＡＷ形式は、プリンタが使えるプリンタ言語（ページ記述言語）であるＰｏｓｔＳｃｒｉｐｔまたはＰＣＬ（Ｐｒｉｎｔｅｒ  Ｃｏｎｔｒｏｌ  Ｌａｎｇｕａｇｅ）により構成されている。また、ＮＴ  ＥＭＦ  １．００６形式は、Ｗｉｎｄｏｗｓ（登録商標）のＧＤＩ指令がＥＭＦ形式に保存したものであり、単にＥＭＦ形式と呼ばれるものである。
【００６４】
ＲＡＷ形式の印刷の場合には、ＳＰＬファイルはプリンタに送信される印刷データそのものとなるため、プリンタによって変わるため実用の際に問題が生じる。
【００６５】
一方、ＥＭＦ形式の印刷の場合には、Ｗｉｎｄｏｗｓ（登録商標）上においてスタンダードであるため、このファイル形式を採用することで、異なるプリンタ機種の問題を回避することができる。しかし、例えば、使用する出力用プリンタがネットワークプリンタである場合など、プリンタの環境によってＥＭＦ形式を採用できない場合があるが、本発明の印刷システムであれば、こうした問題は解決されるものである。
【００６６】
こうしたスプールデータがプリントスプーラ１８によって生成されるのと同時に、プリントプロセッサ２２より地紋印刷部２４の起動指示が出される。このとき、プリントプロセッサ２２は、スプールデータの内容をコピーしたスプールデータコピーファイルを記憶し、地紋印刷終了時まで保持する。
【００６７】
次に、地紋印刷部２４が起動されると、プリントプロセッサ２２は、スプールデータコピーファイルの印刷ジョブＩＤを、地紋印刷部２４に出力する。
【００６８】
そして、地紋印刷部２４は、プリントプロセッサ２２から出力された印刷ジョブＩＤで印刷条件などの情報を取得し、それと合致するスプールデータを記憶装置内より探し出す。この処理は、地紋印刷のためにスプールデータの内容を分析するために行われるものであるが、このスプールデータをそのまま開くとエラーになる可能性があるため、そのコピーを作成し、コピーされたスプールデータの内容から印刷データを分析する。
【００６９】
地紋印刷部２４は、上記にて分析された印刷データに適した条件を持つ地紋作成のための処理を行うものであり、こうした処理を地紋印刷部２４に行わせるための指示を入力可能なグラフィカルユーザーインターフェース（ｇｒａｐｈｉｃａｌ  ｕｓｅｒ  ｉｎｔｅｒｆａｃｅ：ＧＵＩ）画面が、図示しない表示装置上に表示される。
【００７０】
地紋印刷部２４の起動後は、使用者によって、所望の地紋模様を作成される段階に入るが、こうした地紋模様作成には詳細な印刷設定を行う必要がある。しかし、上記のＧＵＩ画面により、地紋模様作成のための詳細な印刷設定を簡単に行うことができるようになされている。
【００７１】
なお、地紋印刷部２４のファイルパスは、レジストリに保存されている。
【００７２】
より詳細には、出力用プリンタを選択する場合、出力用プリンタごとに特定の地紋模様のパタンが決まっていたり、地紋印刷ができない出力用プリンタがある場合、印刷先や地紋模様の種類が変わってくるため、はじめに出力用プリンタを設定しておき、それに対応する地紋模様を仮想プリンタで作成および合成する必要がある。
【００７３】
また、印刷精度は出力用プリンタによって異なるため、適切な印刷精度が選択されていないと地紋模様がうまく表示されなかったり、印刷精度により使用できる地紋模様のパタンが限られてきたりするものである。そのため、使用者は使用する出力用プリンタに合わせて、印刷精度を選択する必要がある。
【００７４】
そして、地紋の特性により、カラーの地紋模様のパタンとグレーの地紋模様のパタンとはその模様が異なる場合があるため、色の設定が行われなければならない。
【００７５】
また、地紋模様の作成に関しては、本発明による印刷システムにおいて使用できる地紋模様のタイプが二種類ある。この二種類とは、地紋模様の中に表示された文字が濃く浮き出るパターンと、地紋模様の中に表示された文字が白抜きで表示され背景が濃く表示されるパターンとであり、こうした地紋模様の種類を選択する必要がある。
【００７６】
このため、地紋印刷部２４のＧＵＩ画面は、出力用プリンタの選択や印刷の精度および色の設定や地紋模様の設定を行うことが可能であるように構築されている。また、使用者が初期設定を行う際に、それを簡単に設定することができるように構成されている。
【００７７】
使用者は、このようなＧＵＩ画面の表示に従い、各種の選択を行うことで、所望の地紋模様の作成が終了する。ここで作成された地紋模様は地紋模様データとなり、地紋印刷部２４内に記憶される。
【００７８】
地紋印刷部２４内に記憶された地紋模様データは、地紋印刷部２４からプリンタプロセッサ２２へ転送される。
【００７９】
これより、図３を参照しながら、プリンタプロセッサ２２による地紋を印刷する際の処理について説明することとする。
【００８０】
まず、プリンタプロセッサ２２は、地紋模様データより出力用プリンタ名を取得し（ステップＳ３０２）、地紋模様を有する文書を出力するプリンタとして、使用者がどのプリンタを選択したかという情報を得るとともに、当該出力用プリンタに適した地紋処理を行うことになる。
【００８１】
次に、プリンタプロセッサ２２は、仮想プリンタ１６のユーザーインターフェースがレジストリに保存している初期化用パラメータを用いて、出力用プリンタ１２の設定を初期化する。
【００８２】
その後に、出力用プリンタ１２のデバイスドライバ２０より、出力用プリンタ１２のデバイスコンテキスト（Ｄｅｖｉｃｅ  Ｃｏｎｔｅｘｔ：ＤＣ）を取得する（ステップＳ３０４）。
【００８３】
ここで、地紋模様を持たない文書を印刷する場合であれば、スプールデータは、ＥＭＦ形式になっているため、この時点で出力用プリンタ１２のＤＣに出力すれば、通常の文書の出力ができるが、本実施の形態においては、さらに地紋模様データの追加を行うため、出力用プリンタ１２のＤＣにさらに地紋模様データを描画する必要がある。
【００８４】
続いて、プリンタプロセッサ２２による印刷が開始され（ステップＳ３０６）、ページごとに印刷データの処理が行われる（ステップＳ３０８）。例えば、ページごとに、文書が有する余白の計算がなされたり、割り付け印刷の文書であればページごとに割り付けの計算がなされるものである（ＮＵＰ印刷）。この作業によって、印刷データが持つ文書中での位置やサイズの情報が取得される。
【００８５】
次に、上記で取得された印刷データの１ページ分の情報を、ステップＳ３０４で取得した出力用プリンタ１２のＤＣに描画する（ステップＳ３１０）。
【００８６】
こうして出力用プリンタ１２のＤＣに出力する文書の内容が描画されると、次に、地紋模様データを追加するための準備に入る（ステップＳ３１２）。
【００８７】
地紋模様データを追加するための準備に入ると、まず、使用者が指示して作成した地紋模様データが後述する画像モードを選択されているか否かが判断される（ステップＳ３１４）。
【００８８】
ステップＳ３１４の判断処理において、画像モードを選択していないと判断された場合、即ち、ステップＳ３１４における判断処理でＮｏと判断された場合には、ステップＳ３１６の処理へ進み、出力用プリンタ１２のＤＣに地紋模様が描画される。
【００８９】
一方、ステップＳ３１４の判断処理において、画像モードを選択していると判断された場合、即ち、ステップＳ３１４における判断処理でＹｅｓと判断された場合には、ステップＳ３１８の処理へと進み、出力用プリンタ１２のＤＣのサイズが縮小される。そして、縮小された後、ステップＳ３１６の処理へ進み、出力用プリンタ１２のＤＣに地紋模様が描画される。
【００９０】
なお、こうした本実施の形態において用いられる地紋模様の構成は、例えば、特開２００５−２０４１９０号公報などに記載されている公知の技術を用いるものであるため、特開２００５−２０４１９０号公報の記載を援用することとし、その詳細な説明については省略する。
【００９１】
上記のようにして、出力用プリンタ１２のＤＣに印刷データと地紋模様データとを描画したところで、１ページ分の文書に対するプリントプロセッサ２２の印刷が終了する（ステップＳ３２０）。
【００９２】
ここで、対象の文書が１ページ以上ある場合には、ステップＳ３２２の判断結果がＹｅｓとなり、他のページに対してステップＳ３０８からステップＳ３２０までの処理が行われる。
【００９３】
こうして、対象の文書のすべてのページに対して、ステップＳ３２０までの処理を終了すると、他に印刷するページはなくなるので、ステップＳ３２２の判断結果がＮｏとなり、印刷を終了する（ステップＳ３２４）。
【００９４】
上記した処理によりプリントプロセッサ２２による処理を終了すると、作成された地紋を持つ印刷データがデバイスドライバ２０へ転送される。
【００９５】
そして、デバイスドライバ２０へ転送された地紋を持つ印刷データは、出力用プリンタ１２に対応したデータ形式に変換され、さらに変換された地紋を持つ印刷データは出力用プリンタ１２へ転送され、地紋模様を有する紙文書として出力されるものである。
【００９６】
出力用プリンタ１２による印刷が終了すると、プリントプロセッサ２２は、記憶していたスプールデータのコピーを削除する。また、蓄積されていたスプールデータは、この時点で消去されることになる。
【００９７】
次に、図４乃至図８を参照しながら、印刷システム１０を用いて地紋模様を有する文書を作成および出力する際の操作手順について詳細に説明することとする。  
なお、本実施の形態においては、各種のアプリケーションソフトプログラム１４としてＭｉｃｒｏｓｏｆｔ（登録商標）のＰｏｗｅｒＰｏｉｎｔ（登録商標）を用いて作成した文書について地紋模様を施すこととし、「（１）文字文書に対する地紋印刷の場合」として、文字中心の文書の全体に対して地紋模様を施す場合についての手順を説明し、「（２）画像を有する文書に対する地紋印刷の場合」として、画像を有する構成の文書の全体に対して地紋模様を施す場合についての手順を説明することとする。
【００９８】
（１）文字文書に対する地紋印刷の場合
はじめに、ＰｏｗｅｒＰｏｉｎｔ（登録商標）にて作成された印刷対象となるファイルを開く。ファイルを開くと、使用者が入力手段を操作することにより文書の作成や印刷指示などが可能である文書作成画面２６が、表示画面に表示される。
【００９９】
次に、使用者が文書作成画面２６において「印刷」を選択すると（図４（ａ）を参照する。）、印刷選択画面が表示されることになる（図４（ｂ）を参照する。）。
【０１００】
この、印刷選択画面において、出力用プリンタ１２のプリンタ名が表示されるプルダウン３０の中から、仮想プリンタ１６を示す「ＡＡＣＭ  Ｐｒｉｎｔｅｒ」を選択すると、仮想プリンタ１６の印刷設定画面２８が表示される（図４（ｂ）を参照する。）。
【０１０１】
また、印刷設定画面２８上では、印刷範囲の設定や印刷方法や印刷色や印刷部数も選択することができる。本実施の形態においては、印刷範囲３２をすべてとし、印刷方法３４は画面の表示通りに印刷するものとし、印刷色３６も画面の表示通りに印刷するものとし、印刷部数３８は１部とするものとした。
【０１０２】
上記のようにして、印刷設定画面２８において、所望の印刷条件に選択および設定した後に、印刷設定画面２８上にあるプロパティボタン４０を選択すると、地紋印刷の詳細な設定を行うための地紋印刷設定画面４２が表示される（図５（ａ）を参照する。）。
【０１０３】
地紋印刷設定画面４２（ＡＡＣＭ  Ｐｒｉｎｔｅｒのドキュメントのプロパティ）では、所望の地紋パタンのスタイルや色を選択することができる。
【０１０４】
より詳細には、まず、地紋印刷設定画面４２で、作成した文書を出力する出力用プリンタ１２の名称を選択するため、図５（ａ）に示した地紋印刷用プリンタ欄の内部にあるプリンタ名選択プルダウン４４より、出力用プリンタ１２の機種の名称を選択する。
【０１０５】
次に、文書に表示する地紋模様の種類を、地紋印刷設定画面４２上の地紋パタン設定欄４６の内部にある項目を選択して設定する。まず、使用者は、地紋色をグレー、マゼンタ、シアンの中より選択し、地紋色設定４６ａの該当する色にチェックを入れる。続いて、地紋タイプ４６ｂを浮き出るタイプと白抜きタイプとのどちらかより選択し、また、印刷モード４６ｃをテキストモードと画像モードのどちらかより選択することができる。
【０１０６】
ここで、印刷モードとは、作成する文書内の画像の有無にあわせて使用者が選択することが可能な印刷方法であり、文書が文字のみで構成される場合はテキストモードが推奨され、文書が文字と画像とから構成される場合は画像モードが推奨される。
【０１０７】
上記した印刷モードで用いられる印刷方法としては、図６（ａ）に示すように文書より地紋を先に印刷する方法と図６（ｂ）に示すように文書より地紋を後に印刷する方法と図６（ｃ）に示す文書内に配置されている画像をよけて地紋模様が印刷される方法とが例としてあげられる。
【０１０８】
図６（ａ）に示す文書より地紋を先に印刷する方法は、地紋が先に印刷され、地紋の上に文書が上書きされるものである。文字のみから構成される文書に対して適しており、画像を有する文書に対して用いる場合、画像が有する余白部分の地紋は余白に塗りつぶされてしまうため、あまり適していない。
【０１０９】
一方、図６（ｂ）に示す文書より地紋を後に印刷する方法は、文書が先に印刷され、文書の上に地紋が上書きされるものである。この方法も文字のみから構成される文書に対して適しており、画像を有する文書に対して用いる場合、画像の上にも地紋模様が施されることで画像が汚くなるため、あまり適していない。
【０１１０】
図６（ｂ）に示された印刷方法に比べて図６（ａ）に示された印刷方法は、地紋が文書に覆われてしまい地紋効果が十分に発揮されないことから、本実施の形態においては、図６（ｂ）に示された印刷方法をテキストモードとして採用している。
【０１１１】
従って、印刷モードとしてテキストモードを選択した場合には、図６（ｂ）に示した方法によって文書が先に印刷され、文書の上に地紋が上書きされるものである。
【０１１２】
一方、画像モードを選択した場合には、文書内に配置されている画像をよけて地紋模様が印刷されるように設定され、画像がきれいに表示されるものである。即ち、画像と重複する部分の地紋模様ははずし、白い部分にのみ地紋模様を施すようになされており、画像の上に地紋模様が施されないようになっている（図６（ｃ）を参照する。）。
【０１１３】
使用者は、文書の構成に合わせた印刷モードを設定し、地紋模様の表示方法を選択することができる。
【０１１４】
なお、本実施の形態における「（１）文字文書に対する地紋印刷の場合」では、地紋色設定４６ａをグレーとし、地紋タイプ４６ｂを白抜きタイプとし、印刷モード４６ｃをテキストモードとしてそれぞれを選択するものとする。
【０１１５】
地紋パタン設定４６で地紋パタンの基本構成を選択した後に、さらに地紋パタン設定４６の詳細設定ボタン４６ｄを選択すると、地紋パタンの基本構造を調整することができるＧＵＩ（ＡＡＣＭ  ＧＵＩ）画面の起動が指示され、地紋作成画面４８が表示される（図５（ｂ）を参照する。）。
【０１１６】
この地紋作成画面４８では、地紋印刷設定画面４２で作成した地紋パタンの基本構成を、使用者の好みの地紋模様になるように、より細かい条件の設定をすることができる。
【０１１７】
まず、本発明による印刷システムでは、地紋模様としてテキストを表示させることができるようになされており、図５（ｂ）に示した地紋作成画面４８上のテキスト設定欄５０のテキストボックス５０ａ内に記入された文字が、地紋パタンの一部となる。この場合、地紋模様に「複写」という文字を用いることとすると、使用者はテキストボックス５０ａ内に複写と入力する。また、テキストボックス５０ａ内に表示される文字は、フォントの種類を選択することも可能で、フォントの種類を変える場合は、フォント選択ボタン５０ｂを押すことでフォントの種類を変更する。
【０１１８】
また、上記テキストボックス５０ａで設定されたフォントは、サイズおよび表示角度を設定することができるようになされている。本実施の形態においては、フォントサイズを６５ポイント、文字の角度を３０度とするため、サイズボックス５０ｃ内の数字を６５に設定し、角度ボックス５０ｄ内の数字を３０とした。
【０１１９】
次に、地紋模様の背景画像を設定する。地紋模様の下地となる背景画像は、地紋作成画面４８上の地紋設定欄５２で設定することができる。
【０１２０】
背景画像は、所望の模様を有する画像もしくは仮想プリンタ１６に記憶されている背景画像より選択する。背景画像５２ａに、背景画像が保存されている場所を示すパスを記入するかもしくはプルダウンより背景画像の名称を選択する（図７（ａ）を参照する。）。選択できる背景画像は複数あり、一例として４つのパターンを図７（ｂ）に示している。
【０１２１】
また、上記したテキスト設定欄５０で設定した文字を白抜きにするか否かをチェックボックス５２ｂで選択でき、このチェックボックス５２ｂをマウスでクリックすることにより白抜きにするか否かを決定する。本実施の形態においては、白抜きにするため、チェックボックス５２ｂにチェックを入れる。
【０１２２】
さらに、濃さ調整５２ｃにより、地紋の濃度を調整することができるようになされている。基本の濃度が０となっているので、基本の濃度よりも濃く表示することを希望するばあいは、濃さ調整５２ｃ内の数字を上げると、地紋は基本の濃さよりも濃く表示されることになる。
【０１２３】
こうして作成および調整された地紋模様の見本を、地紋作成画面４８上のプレビューボックス５４で見ることができる。プレビューボックス５４に表示された地紋模様に対して、色の変更を希望する場合には、プレビューボックス５４の下方にある色選択ボタン５６で適宜に変更することが可能である。
【０１２４】
上記の手順により作成された地紋模様は、地紋作成画面４８上の決定ボタン５８を選択することにより、印刷する対象の地紋模様として決定され、地紋作成が終了する。決定ボタン５８が選択されると、それと同時に地紋作成画面４８は自動的に閉じられるものである。
【０１２５】
地紋作成画面４８が閉じられると、画面上には再び印刷設定画面２８が表示される。上記で設定した地紋模様に対して変更が無ければ、印刷設定画面２８上の決定ボタン６０をマウスなどでクリックし、地紋模様の作成は終了する。
【０１２６】
決定ボタン６０をマウスなどでクリックして地紋模様を終了すると、作成された地紋模様データを用いて、上記において図３を参照しながら説明した処理が実行されるものである。
【０１２７】
図８（ａ）（ｂ）（ｃ）（ｄ）には、上記のようにして普通紙に印刷された地紋模様を有する文書の例が示されている。
【０１２８】
ここで、図８（ａ）に示されている文書の例は、上記の手順により地紋模様データを作成し、仮想プリンタ１６内部で地紋模様データと印刷データとを合成した地紋模様を有する文書を出力用プリンタ１２により出力した紙文書６２である。
【０１２９】
例えば、この紙文書６２を複写装置を用いて複写した場合には、図８（ｂ）に示した紙文書６４の様に地紋模様が浮き出てくるものである。
【０１３０】
上記した実施の形態においては、図５（ｂ）の地紋作成画面４８上で、地紋模様として表示するテキストが白抜きで表示されるように、地紋設定５２のチェックボックス５２ｂにチェックを入れたため、複写された紙文書６４には白抜きの「複写」という文字が表示されている。
【０１３１】
また、図８（ｃ）には、この地紋作成画面４８上で地紋設定５２のチェックボックス５２ｂにチェックを入れずに作成した紙文書６６が示されている。出力用プリンタ１２により出力された時点での当該紙文書６６と上記した紙文書６４とを比較すると、外見上同じに見えるものであるが、複写装置により複写すると、紙文書６６は図８（ｄ）に示した紙文書６８のように、地紋模様が浮き出てくるものである。
【０１３２】
紙文書６８に合成した地紋模様は、地紋模様の一部であるテキストが白抜きになるように設定しなかったため、白抜きでない文字が表示されている。
【０１３３】
（２）画像を有する文書に対する地紋印刷の場合
画像を有する文書に対する地紋印刷の方法は、上記した「（１）文字文書に対する地紋印刷の場合」に示した方法と比べて、図５（ａ）に示した地紋印刷設定画面４２上において、地紋パタン設定４６の印刷モード４６ｃとして画像モードを選択することのみ異なるものである。
【０１３４】
印刷モード４６ｃとして画像モードを選択し（図９（ａ）を参照する。）、上記した「（１）文字文書に対する地紋印刷の場合」に示した方法に従って、地紋模様を作成していくと、地紋模様を有する紙文書が出力用プリンタ１２より出力される。こうして出力された紙文書を、複写装置により複写した際の複写物が図９（ｂ）に示されている。
【０１３５】
図９（ｂ）に示すように、印刷モード４６ｃを画像モードとすることで、画像をよけて地紋模様が作成されるため、文書全体に地紋模様が施されても画像はきれいなまま出力されるものである。
【０１３６】
なお、発明者の実験結果によれば、本発明による印刷システム１０において地紋模様を有する文書を出力する出力用プリンタとして実際に用いることができるものの例として、図１０に示したプリンタが挙げられる。
【０１３７】
図１０に示したプリンタにより出力する場合であれば、ＤＰＩ値は６００ｄｐｉで、モノクロの地紋色を有する地紋模様の印刷が可能である。
【０１３８】
また、ＥＰＳＯＮ  ＬＰ−Ｓ６５００（登録商標）、Ｃａｎｏｎ  ＬＢＰ５５００（登録商標）およびＤｏｃｕＣｅｎｔｅｒ  Ｃｏｌｏｒ２４０Ｃ（登録商標）においては、地紋色としてモノクロ以外にも、マゼンタおよびシアンを用いて印刷可能であることが確認されている。
【０１３９】
また、図１１に示した各条件内であれば、本発明による印刷システム１０にて地紋模様を有する文書を作成することも確認されている。
【０１４０】
以上において説明したように、上記した本発明によれば、ＯＳとしてＭｉｃｒｏｓｏｆｔ  Ｗｉｎｄｏｗｓ（登録商標）を搭載したパーソナルコンピュータ上であれば、アプリケーションや出力用プリンタの種類に依存せずに、地紋模様を有する文書を普通紙に出力することが可能である。
【０１４１】
また、上記したように、使用者は地紋作成時に多くの条件設定を行う必要があるが、本発明による地紋印刷システム２４のＧＵＩ画面は、そうした設定を行いやすいように構成されているため、使用者が希望するデザインの地紋模様を容易に作成することが可能である。
【０１４２】
また、画像を有する文書に地紋模様を印刷する際に、画像上に地紋模様が載らない様に画像を避けて地紋模様を印刷することが可能であるため、例えば、文書中にロゴマークをスタンプするように設定して印刷した場合などにおいて、ロゴマークが画像に載って画像を見えにくくするというおそれがなくなるものである。
【０１４３】
なお、上記した実施の形態は、以下の（１）乃至（３）に示すように変形することができるものである。
【０１４４】
（１）上記した実施の形態においては、本発明による仮想プリンタとしてのＡＡＣＭ  Ｐｒｉｎｔｅｒの起動方法として図４に示した手順で行ったが、これに限られるものではないことは勿論であり、図１２および図１３に示した方法でも起動可能である。
【０１４５】
即ち、上記した起動方法とは異なる起動方法としては、図１２ならびに図１３に示す二つの方法があり、まず、図１２に示した起動方法では、Ｍｉｃｒｏｓｏｆｔ  Ｗｉｎｄｏｗｓ（登録商標）のスタートメニューのプログラムより、本発明による仮想プリンタたるＡＡＣＭの表示を選択することで、ＡＡＣＭを起動することができ、地紋作成画面４８たるＡＡＣＭ  ＧＵＩ画面が画面上に表示される。
【０１４６】
また、図１３に示した起動方法では、パーソナルコンピュータ中に記憶されているプリンタフォルダ７０を開き、プリンタの一つとして登録されている仮想プリンタたるＡＡＣＭ  Ｐｒｉｎｔｅｒのアイコンを選択することにより、当該ＡＡＣＭ  Ｐｒｉｎｔｅｒのプロパティ画面が表示される。さらに、プロパティ画面７２の地紋パタン設定欄７４の詳細設定ボタン７６を選択すると、地紋作成画面４８たるＡＡＣＭ  ＧＵＩ画面が画面上に表示されるものである。
【０１４７】
（２）上記した実施の形態においては、地紋模様として「複写」というテキストを表示させたが、これに限られるものではないことは勿論であり、画像やロゴマークを文書にスタンプさせることも可能である。
【０１４８】
より詳細には、画像やロゴマークをスタンプさせる場合の手順として、はじめに、図５（ｂ）にて説明した地紋作成画面４８上の、テキスト設定欄５０内のフォント選択ボタン５０ｂの下に配置されている画像入力ボタン７８を選択する（図１４（ａ）を参照する。）。
【０１４９】
次に、画像入力ボタン７８横の画像選択欄８０に画像名を入力するか、もしくは画像選択欄８０より画像を選択する。
【０１５０】
そして、地紋模様として表示される画像を白抜きタイプにするか否かを選択する。白抜きタイプにする場合、図１４（ａ）に示された画面のように、チェックボックス５２ｂにチェックを入れる。この場合、出力用プリンタ１２より出力された文書を複写装置により複写すると、図１４（ｂ）に示された文書のように、白抜きの画像が表示された地紋模様を有する文書が複写される。
【０１５１】
また、白抜きタイプにしない場合は、図１４（ｃ）に示された画面のように、チェックボックス５２ｂにチェックをいれないようにする。この場合、出力用プリンタ１２より出力された文書を複写装置により複写すると、図１４（ｄ）に示された文書の様に、白抜きでない画像が表示された地紋模様を有する文書が複写されるものである。
【０１５２】
（３）上記した実施の形態ならびに上記した（１）および（２）に示す変形例は、適宜に組み合わせるようにしてもよい。
【産業上の利用可能性】
【０１５３】
本発明は、重要な文書に対して地紋模様を施す際や、文書に対してロゴマークなどのスタンプをする際に利用することができるものである。
【図面の簡単な説明】
【０１５４】
【図１】図１は、本発明による印刷システムの原理を示した概念説明図であり、破線矢印のルートは通常の印刷の流れを表しており、実線矢印のルートは本発明の印刷システムにより行われる地紋印刷の流れを表している。
【図２】図２は、本発明による印刷システムの概念的に示したブロック説明図である。
【図３】図３は、プリントプロセッサの処理を示したフローチャートである。
【図４】図４（ａ）は、アプリケーションの文書作成画面より印刷指示を出す際の画面の例を示した概念説明図であり、図４（ｂ）は、仮想プリンタの印刷設定画面が表示された際の画面の例を示した概念説明図である。
【図５】図５（ａ）は、地紋印刷設定画面の例を示した概念説明図であり、図５（ｂ）は、地紋模様を設定する際の地紋作成画面の例を示した概念説明図である。
【図６】図６（ａ）は、文書より地紋を先に印刷する方法を概念的に示した説明図であり、図６（ｂ）は、文書より地紋を後に印刷する方法（本発明におけるテキストモードの例）を概念的に示した説明図であり、図６（ｃ）は、地紋設定方法の他の例である画像モードを概念的に示した説明図である。
【図７】図７（ａ）は、地紋模様の背景画像を設定する際の画面の例を示した概念説明図であり、図７（ｂ）は、地紋模様の背景の一例を示したものである。
【図８】図８（ａ）は、出力された地紋模様を有する文書を図示した説明図であり、図８（ｂ）は、図８（ａ）の文書を複写装置により複写した際の複写物を図示した説明図であり、図８（ｃ）は、出力された地紋模様を有する文書を図示した説明図であり、図８（ｄ）は、図８（ｃ）の文書を複写装置により複写した際の複写物を図示した説明図である。
【図９】図９（ａ）は、地紋設定の方法の一つである印刷モードを選択する際の画面の例を示した概念説明図であり、図９（ｂ）は、印刷モードにより作成された地紋模様を有する文書を複写装置にて複写した際の複写物を図示した説明図である。
【図１０】図１０は、本発明の発明者の実験結果であり、本発明による印刷システム１０において地紋模様を有する文書を出力することが可能な出力用プリンタの例を示した図表である。
【図１１】図１１は、本発明による印刷システムにて作成することが可能である文書の各種条件を示した図表である。
【図１２】図１２は、本発明による印刷システムの仮想プリンタを起動する方法の一例を示した概念説明図である。
【図１３】図１３は、本発明による印刷システムの仮想プリンタを起動する方法の一例を示した概念説明図である。
【図１４】図１４（ａ）は、地紋模様を画像とした場合に、画像を白抜きタイプにする際の設定画面の例を示した概念説明図であり、図１４（ｂ）は、図１４（ａ）に示したように設定した場合に作成された地紋模様を有する文書を複写装置により複写した複写物を図示した説明図であり、図１４（ｃ）は、地紋模様を画像とした場合に、画像を白抜きタイプにしない際の設定画面の例を示した概念説明図であり、図１４（ｄ）は、図１４（ｃ）に示したように設定した場合に作成された地紋模様を有する文書を複写装置により複写した複写物を図示した説明図である。
【符号の説明】
【０１５５】
１０        印刷システム
１２        出力用プリンタ
１４        アプリケーションプログラム
１６        仮想プリンタ
１８        プリントスプーラ（Ｐｒｉｎｔ  Ｓｐｏｏｌｅｒ）
２０        デバイスドライバ
２２        プリントプロセッサ（Ｐｒｉｎｔ  Ｐｒｏｃｅｓｓｏｒ）
２４        地紋印刷部
【図２】
2008165467.tif 000003
【図３】
2008165467.tif 000004
【図１】
2008165467.tif 000005
【図４】
2008165467.tif 000006
【図５】
2008165467.tif 000007
【図６】
2008165467.tif 000008
【図７】
2008165467.tif 000009
【図８】
2008165467.tif 000010
【図９】
2008165467.tif 000011
【図１０】
2008165467.tif 000012
【図１１】
2008165467.tif 000013
【図１２】
2008165467.tif 000014
【図１３】
2008165467.tif 000015
【図１４】
2008165467.tif 000016